(57)【要約】【課題】配管耐震用サポートを構成する吊材と横架材とをボルトとナットにより連結固定することにより、ガセットプレートと溶接作業を不要として、製作が容易で、且つコストの低減を図ることができる配管耐震用サポートを提供する。【解決手段】間隔を有して配設された２本の溝型鋼より成る吊材１の平板状の背面板２の下端に、溝型鋼より成る横架材３の平板状の背面板４を当接して面接触させ、且つ該接触部を複数本のボルト５とナット６とを介して一体に接合固定する一方、１本、または複数本の配管８の上方より被着するＵバンド９の両端部を挿入固定する貫通孔１０を穿設したＬ字状の取付金具１１を、前記Ｕバンド９の各両端部下面に位置する、前記横架材３の平板状の背面板４の上端部にボルト１２とナット１３とを介して接合固定する。【選択図】図１
2010032027.tif 000002
【特許請求の範囲】
【請求項１】
間隔を有して配設された２本の溝型鋼より成る吊材１の平板状の背面板２の下端に、溝型鋼より成る横架材３の平板状の背面板４を当接して面接触させ、且つ該接触部を複数本のボルト５とナット６とを介して一体に接合固定する一方、１本、または複数本の配管８の上方より被着するＵバンド９の両端部を挿入固定する貫通孔１０を穿設したＬ字状の取付金具１１を、前記Ｕバンド９の各両端部下面に位置する、前記横架材３の平板状の背面板４の上端部にボルト１２とナット１３とを介して接合固定したことを特徴とする配管耐震用サポート。
【発明の詳細な説明】
【技術分野】
【０００１】
本発明は、工場建築物やプラント構造物において、各階の天井付近に、比較的大口径の配管を吊持して支持することができる配管耐震用サポートに関するものであって、特に、配管耐震用サポートを構成する溝型鋼より成る吊材と横架材とを、ガセットプレートを用いることなく、また溶接することもなく、ボルトとナットを介して接合固定して、強度性を保持することにより、耐震性を付与すると共に、簡単、且つ容易に製作できる配管耐震用サポートに関するものである。
【背景技術】
【０００２】
従来、工場建築物やプラント構造物において、各階の天井付近に、比較的大口径の配管を吊持して支持する配管耐震用サポートは、図５に示すように溝型鋼を凹字状に固定したガセットプレート接合タイプや、図６に示すようにＨ型鋼を凹字状に溶接固定した溶接接合タイプが汎用されている。
【０００３】
一方、配管耐震用サポートとして、ガセットプレート接合や、溶接接合を全く使用しないタイプにつき、過去の特許文献を遡及検索しても、１件の特許文献をも発見することができなかった。
【発明の開示】
【発明が解決しようとする課題】
【０００４】
前記従来汎用されている図５のガセットプレート接合タイプのサポート３１は、溝型鋼により形成された２本の吊材３２の下端部にガセットプレート３３を取付けて、該各ガセットプレート３３に横架材３４の両端をボルト３５で接合するという構造であるため、配管３６を固定するＵバンド３７とガセットプレート３３が干渉しないように、配管３６と吊材３２との間隔を必要以上に確保しなければならないので、横架材３４の長さが長くなり、従って、その分コスト高となり、また、ガセットプレート３３は、サポート製作時や現場施工時に邪魔となり、該ガセットプレート３３の露出部分が作業員と接触する等、安全性に課題があった。更に、吊材３２と横架材３４とを直接固定するのではなく、ガセットプレート３３を介して固定しているので、耐震性の面で劣るという課題があった。
【０００５】
また、前記従来汎用されている図６の溶接接合タイプのサポート４１は、吊材４２と横架材４３とがその接合部において、溶接４４されて一体に構成されているため、重量が嵩んでサポート製作時や現場への搬入および施工に手間がかかり、更に広い保管スペースが必要であり、また溶接４４の品質を確保するために、溶接の熟練工が必要となり、コスト削減の障害となるという課題があった。更に、吊材４２と横架材４３とを溶接４４により固定しているので、該溶接４４が充分でないと、耐震性の面で劣るという課題があった。なお、図中、４５は配管、４６はＵバンドである。
【０００６】
本発明は、前記課題を解決すべくなされたもので、吊材と横架材に溝型鋼を使用し、各溝型鋼の平板状面同土を当接して面接触させて、直接ボルトとナットで連結固定し、ガセットプレートを不要として、Ｕバンドとの干渉をなくすことにより、横架材として必要最短長さ（配管を支持する長さ）のものを使用することができ、また、前記面接触部において、吊材と横架材とをボルトとナットにより連結固定することにより、耐震性を保持することができ、更に溶接作業も不要で、吊材と横架材の現場での連結固定が可能であるので、吊材と横架材の現場への搬入が容易で、且つ製作も迅速、且つ簡単にでき、コスト削減を図ることができる配管耐震用サポートを提供しようとするものである。
【課題を解決するための手段】
【０００７】
本発明は、間隔を有して配設された２本の溝型鋼より成る吊材１の平板状の背面板２の下端に、溝型鋼より成る横架材３の平板状の背面板４を当接して面接触させ、その接触部を複数本のボルト５とナット６とを介して一体に接合固定する一方、１本、または複数本の配管８の上方より被着するＵバンド９の両端部を挿入固定する貫通孔１０を穿設したＬ字状の取付金具１１を、前記Ｕバンド９の各両端部下面に位置する、前記横架材３の平板状の背面板４の上端部にボルト１２とナット１３とを介して接合固定するという手段を採用することにより、上記課題を解決した。
【発明の効果】
【０００８】
本発明配管耐震用サポートは、溝型鋼より成る吊材１と横架材３の平板状の各背面板２・４を当接して面接触させ、その接触部を複数本のボルト５とナット６とを介して一体に連結固定するという接合方法であるため、前記吊材１と横架材３とが強固に接合固定されるので、耐震性が付与され、更に、従来のように、ガセットプレートが不要となり、またＵバンド９との干渉がないので、横架材３はガセットプレート接合タイプのものより短かい鋼材を使用することができると共に、溶接作業が不要であるため、製作が容易で、且つコストの低減を図ることができるという優れた効果を奏する。
【０００９】
更に、本発明配管耐震用サポートは、配管８の自重を支持すると共に、地震時において、前記配管８が水平方向に発生する慣性力（地震力）も、同時に支持することができるのて、前記地震力に抵抗することができ、耐震性を保持することができる。
【実施例】
【００１０】
本発明の実施例を図面に基づいて詳細に説明するに、図１は本発明配管耐震用サポートの正面図である。本発明配管耐震用サポートは、間隔を有して配設された２本の溝型鋼より成る吊材１の平板状の背面板２（図２参照）の下端に、溝型鋼より成る横架材３の平板状の背面板４を当接して面接触させ、且つ該接触部を複数本のボルト５とナット６とを介して一体に接合固定して形成されている。前記のように、吊材１の平板状の背面板２と横架材３の平板状の背面板４を当接して面接触させて、複数本のボルト５とナット６とを介して一体に接合固定することにより、曲げ、せん断、軸力の合力を伝達する剛接合を形成しているため、前記吊材１と横架材３はラーメン構造となり、耐震性が充分保持される。なお、図中、７は、前記ボルト５を嵌挿するボルト孔である。
【００１１】
更に、前記横架材３には、１本、または複数本の配管８（図３においては、２本の配管８が図示されている）の上方より被着して、該横架材３上に該配管８を挟持して載置するため、Ｕバンド９の両端部を挿入固定する貫通孔１０を穿設したＬ字状の取付金具１１が、前記Ｕバンド９の各両端部下面に位置する、前記横架材３の平板状の背面板４の上端部にボルト１２とナット１３とを介してそれぞれ接合固定されている。
【００１２】
これにより、配管８はＵバンド９を上方より被着すると共に、該Ｕバンド９の両端部を貫通孔１０に挿入固定することにより、前記配管８は横架材３に動揺することなく配置される。
【００１３】
また、前記横架材３はガセットプレートを用いることなく吊材２に接合固定されているため、従来のガセットプレートタイプのものと異なり最低必要長さの横架材３で足りる。
【００１４】
前記構成より成る本発明配管耐震用サポートの各吊材１の上端部は、建物大梁１４に固定されるが、その固定手段は、特に限定する必要はないが、好ましくは、図４に示すような構成とすることが推奨される。すなわち、各吊材１の平板状の背面板２に、建物大梁１４に当接する、該吊材１より巾広の取付片１５をボルト１６とナット１７とで連結固定すると共に、該取付片１５と前記建物大梁１４間に、前記ボルト１６の頭部１６ａの厚さ分の間隔を保持するライナープレート１８を介在せしめて、前記取付片１５をアンカーボルト１９により建物大梁１４に一体に連結固定する。
【００１５】
前記のように、本発明配管耐震用サポートは、溝型鋼より成る吊材１と横架材３の平板状の背面板４を当接して面接触させ、その接触部を複数本のボルト５とナット６とを介して一体に連結固定するという接合方法であるため、吊材１と横架材３とが強固に接合固定されて、耐震性が保持され、更に、従来のように、ガセットプレートが不要となり、またＵバンド９との干渉がないので、横架材３はガセットプレート接合タイプのものより短かい鋼材を使用することができると共に、溶接作業が不要であるため、製作が容易で、且つコストの低減を図ることができる。
【図面の簡単な説明】
【００１６】
【図１】本発明配管耐震用サポートを建物大梁に取付けた状態を示す正面図である。
【図２】同側面図である。
【図３】本発明配管耐震用サポートにおいて、配管とＵバンドで固定する状態を示す要部の断面図である。
【図４】本発明配管耐震用サポートの吊材を建物大梁に固定した状態を示す横断面図である。
【図５】従来のガセットプレート接合タイプの配管耐震用サポートの正面図である。
【図６】従来の溶接接合タイプの配管耐震用サポートの正面図である。
【符号の説明】
【００１７】
１  吊材
２  背面板
３  横架材
４  背面板
５  ボルト
６  ナット
７  ボルト孔
８  配管
９  Ｕバンド
１０  貫通孔
１１  取付金具
１２  ボルト
１３  ナット
１４  建物大梁
１５  取付片
１６  ボルト
１７  ナット
１８  ライナープレート
１９  アンカーボルト
【図１】
2010032027.tif 000003
【図２】
2010032027.tif 000004
【図３】
2010032027.tif 000005
【図４】
2010032027.tif 000006
【図５】
2010032027.tif 000007
【図６】
2010032027.tif 000008